【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
（ａ）潤滑粘度の油、（ｂ）０．０１重量％〜５重量％の１，３−ジオキサン−４，６−ジオン化合物、および（ｃ）０．１重量％〜１０重量％の塩基性アミン化合物を含む潤滑組成物。
【請求項２】
前記塩基性アミン化合物が、芳香族塩基性アミン化合物を含む、請求項１に記載の潤滑組成物。
【請求項３】
前記塩基性アミン化合物が、フェニレンジアミン、ジアリールアミン、ピリジン、置換ピリジン化合物、およびそれらの混合物のうちの少なくとも一つを含む、請求項１に記載の潤滑組成物。
【請求項４】
前記塩基性アミン化合物が１０００ｇｍｏｌ−１未満の分子量を有する、請求項３に記載の潤滑組成物。
【請求項５】
前記塩基性アミン化合物がジアリールアミンを含む、請求項１に記載の潤滑組成物。
【請求項６】
前記塩基性アミン化合物がフェニレンジアミンを含む、請求項１に記載の潤滑組成物。
【請求項７】
前記塩基性アミン化合物がピリジンまたは置換ピリジン化合物のうちの少なくとも一つを含む、請求項１に記載の潤滑組成物。
【請求項８】
前記塩基性アミン化合物がＮ−ヒドロカルビル置換アミノエステル化合物を含む、請求項１に記載の潤滑組成物。
【請求項９】
前記塩基性アミン化合物がポリイソブチレンスクシンイミド分散剤を含む、請求項１に記載の潤滑組成物。
【請求項１０】
前記塩基性アミン化合物が、０．３重量％〜５重量％で存在し、前記１，３−ジオキサン−４，６−ジオン化合物が、０．３重量％〜４重量％で存在する、請求項１に記載の潤滑組成物。
【請求項１１】
ジアルキルジチオリン酸亜鉛をさらに含む、請求項１に記載の潤滑組成物。
【請求項１２】
ポリイソブチレンスクシンイミド分散剤をさらに含む、請求項１１に記載の潤滑組成物。
【請求項１３】
過塩基性金属含有清浄剤またはその混合物をさらに含む、請求項１に記載の潤滑組成物。
【請求項１４】
前記過塩基性金属含有清浄剤が、硫黄不含フェネート、硫黄含有フェネート、スルホネート、サリキサレート、サリチレート、カルボキシレートおよびそれらの混合物、またはそれらのホウ酸化等価物から選択される、請求項１３に記載の潤滑組成物。
【請求項１５】
過塩基性清浄剤が、０．１重量％〜１０重量％で存在する、請求項１４に記載の潤滑組成物。
【請求項１６】
前記１，３−ジオキサン−４，６−ジオン化合物が、以下の式：
【化１２】
2017525816.tif 000001
（式中、Ｒ１は、水素、または１〜４個の炭素原子のヒドロカルビル基から選択され、Ｒ２およびＲ３は、独立して、水素、または１〜４個の炭素原子のヒドロカルビル基である）
によって表される、請求項１に記載の潤滑組成物。
【請求項１７】
Ｒ１は水素であり、Ｒ２およびＲ３は、それぞれ、１個の炭素原子のヒドロカルビル基である、請求項１６に記載の潤滑組成物。
【請求項１８】
０．０１重量％〜５重量％の１，３−ジオキサン−４，６−ジオン化合物、
０．１重量％〜１０重量％の塩基性アミン化合物、
０．１重量％〜６重量％の、硫黄不含のカルシウムもしくはマグネシウムフェネート、硫黄を含有するカルシウムもしくはマグネシウムフェネート、またはスルホン酸カルシウムもしくはスルホン酸マグネシウムから選択される、過塩基性清浄剤、および
０．５重量％〜１０重量％のポリイソブチレンスクシンイミドであって、前記ポリイソブチレンスクシンイミドのポリイソブチレンが５５０〜３０００の数平均分子量を有する、ポリイソブチレンスクシンイミド
を含む、潤滑組成物。
【請求項１９】
０．５重量％〜２重量％の１，３−ジオキサン−４，６−ジオン化合物、
１重量％〜３重量％の塩基性アミン化合物、
０．１重量％〜６重量％の、硫黄不含のカルシウムもしくはマグネシウムフェネート、硫黄を含有するカルシウムもしくはマグネシウムフェネート、またはスルホン酸カルシウムもしくはスルホン酸マグネシウムから選択される、過塩基性清浄剤、
０．５重量％〜１０重量％のポリイソブチレンスクシンイミドであって、前記ポリイソブチレンスクシンイミドのポリイソブチレンが、５５０〜３０００の数平均分子量を有する、ポリイソブチレンスクシンイミド、および
１００ｐｐｍ〜８００ｐｐｍのリンを送達する量で存在している、ジアルキルジチオリン酸亜鉛
を含む、請求項１８に記載の潤滑組成物。
【請求項２０】
内燃機関に、潤滑組成物を供給することを含む、内燃機関を潤滑する方法であって、前記潤滑組成物は、（ａ）潤滑粘度の油、（ｂ）０．０１重量％〜５重量％の１，３−ジオキサン−４，６−ジオン化合物、および（ｃ）０．１重量％〜１０重量％の塩基性アミン化合物を含む、方法。
【手続補正２】
【補正対象書類名】明細書
【補正対象項目名】００３７
【補正方法】変更
【補正の内容】
【００３７】
一実施形態では、本開示技術は、内燃機関において、潤滑組成物中に１，３−ジオキサン−４，６−ジオン化合物と塩基性アミン化合物との混合物を使用して、シール適合性（通常、エラストマーシールの悪化を引き起こさない）を改善することを提供する。改善は、例えば、Ｍｅｒｃｅｄｅｓ  Ｂｅｎｚにより供給された規格書ＭＢ  ＤＢＬ６６７４  ＦＫＭにおけるシール適合性を評価することによって測定することができる。
本発明の実施形態において、例えば以下の項目が提供される。
（項目１）
（ａ）潤滑粘度の油、（ｂ）０．０１重量％〜５重量％の１，３−ジオキサン−４，６−ジオン化合物、および（ｃ）０．１重量％〜１０重量％の塩基性アミン化合物を含む潤滑組成物。
（項目２）
（ａ）潤滑粘度の油、（ｂ）０．０１重量％〜５重量％の１，３−ジオキサン−４，６−ジオン化合物、および（ｃ）０．１重量％〜１０重量％の芳香族塩基性アミン化合物またはそれらの混合物を含む潤滑組成物を含む、項目１に記載の潤滑組成物。
（項目３）
前記塩基性アミン化合物が、通常、１０００ｇｍｏｌ−１未満、または３１〜５００ｇｍｏｌ−１、または１５０〜４５０ｇｍｏｌ−１の分子量を有する、フェニレンジアミン、ジアリールアミンピリジンまたは置換ピリジン化合物から選択される、前記項目のいずれかに記載の潤滑組成物。
（項目４）
（ａ）潤滑粘度の油、（ｂ）０．０１重量％〜５重量％の１，３−ジオキサン−４，６−ジオン化合物、および（ｃ）０．１重量％〜１０重量％の塩基性アミン化合物を含む、前記項目のいずれかに記載の潤滑組成物であって、前記塩基性アミン化合物が、ジ−ノニル化ジフェニルアミンまたはノニルジフェニルアミンなどのジアリールアミンを含む、潤滑組成物。
（項目５）
（ａ）潤滑粘度の油、（ｂ）０．０１重量％〜５重量％の１，３−ジオキサン−４，６−ジオン化合物、および（ｃ）０．１重量％〜１０重量％の芳香族塩基性アミン化合物を含む潤滑組成物を含み、前記塩基性アミン化合物がフェニレンジアミンを含む、前記項目のいずれかに記載の潤滑組成物。
（項目６）
（ａ）潤滑粘度の油、（ｂ）０．０１重量％〜５重量％の１，３−ジオキサン−４，６−ジオン化合物、および（ｃ）ピリジンまたは置換ピリジン化合物から選択される、０．１重量％〜１０重量％の芳香族塩基性アミン化合物を含む潤滑組成物を含む、前記項目のいずれかに記載の潤滑組成物。
（項目７）
（ａ）潤滑粘度の油、（ｂ）０．０１重量％〜５重量％の１，３−ジオキサン−４，６−ジオン化合物、および（ｃ）０．１重量％〜１０重量％の塩基性アミン化合物を含む潤滑組成物を含み、前記塩基性アミン化合物がＮ−ヒドロカルビル置換アミノエステル化合物を含む、前記項目のいずれかに記載の潤滑組成物。
（項目８）
ポリイソブチレンスクシンイミド分散剤をさらに含む、前記項目のいずれかに記載の潤滑組成物。
（項目９）
（ａ）潤滑粘度の油、（ｂ）０．０１重量％〜５重量％の１，３−ジオキサン−４，６−ジオン化合物、および（ｃ）０．１重量％〜１０重量％の塩基性アミン化合物を含み、前記塩基性アミン化合物がポリイソブチレンスクシンイミド分散剤を含む、前記項目１から２のいずれかに記載の潤滑組成物。
（項目１０）
前記１，３−ジオキサン−４，６−ジオンが、前記塩基性アミン化合物のＴＢＮを低下させない、前記項目のいずれかに記載の潤滑組成物。
（項目１１）
前記１，３−ジオキサン−４，６−ジオン化合物が、前記潤滑組成物中に、前記潤滑組成物の０．１重量％〜５重量％、または０．３重量％〜４重量％、または０．５重量％〜３．５重量％、または１重量％〜３重量％の範囲の量で存在する、前記項目のいずれかに記載の潤滑組成物。
（項目１２）
前記１，３−ジオキサン−４，６−ジオン化合物が、前記潤滑組成物中に、前記潤滑組成物の０．５重量％〜２重量％の範囲の量で存在する、前記項目のいずれかに記載の潤滑組成物。
（項目１３）
前記塩基性アミン化合物が、前記潤滑組成物の０．３重量％〜５重量％、または０．８重量％〜４重量％、または１〜３重量％で存在する、前記項目のいずれかに記載の潤滑組成物。
（項目１４）
前記塩基性アミン化合物が、０．３重量％〜５重量％で存在し、前記１，３−ジオキサン−４，６−ジオン化合物が、０．３重量％〜４重量％で存在する、前記項目のいずれかに記載の潤滑組成物。
（項目１５）
前記塩基性アミン化合物が、０．３重量％〜５重量％で存在し、前記１，３−ジオキサン−４，６−ジオン化合物が、０．３重量％〜４重量％で存在する、前記項目のいずれかに記載の潤滑組成物。
（項目１６）
前記塩基性アミン化合物が、１重量％〜３重量％で存在し、前記１，３−ジオキサン−４，６−ジオン化合物が、０．５重量％〜２重量％で存在する、前記項目のいずれかに記載の潤滑組成物。
（項目１７）
前記潤滑組成物が、ジアルキルジチオリン酸亜鉛をさらに含む、前記項目のいずれかに記載の潤滑組成物。
（項目１８）
前記潤滑組成物が、ポリイソブチレンスクシンイミド分散剤およびジアルキルジチオリン酸亜鉛をさらに含む、前記項目１から１５のいずれかに記載の潤滑組成物。
（項目１９）
前記潤滑組成物が、ポリイソブチレンスクシンイミド分散剤、ジアリールアミンおよびジアルキルジチオリン酸亜鉛をさらに含む、前記項目のいずれかに記載の潤滑組成物。
（項目２０）
過塩基性金属含有清浄剤またはその混合物をさらに含む、前記項目のいずれかに記載の潤滑組成物。
（項目２１）
前記過塩基性金属含有清浄剤が、硫黄不含フェネート、硫黄含有フェネート、スルホネート、サリキサレート、サリチレート、カルボキシレートおよびそれらの混合物、またはそれらのホウ酸化等価物から選択される、項目１８に記載の潤滑組成物。
（項目２２）
前記過塩基性金属含有清浄剤である過塩基性スルホネート清浄剤が、過塩基性スルホン酸カルシウムを含み、通常、スルホン酸カルシウム清浄剤が１８〜４０の金属比、および３００〜５００または３２５〜４２５のＴＢＮを有する、前記項目１８から１９のいずれかに記載の潤滑組成物。
（項目２３）
過塩基性清浄剤が、０重量％〜１０重量％、または０．１重量％〜１０重量％、または０．２重量％〜８重量％、または０．２重量％〜３重量％で存在する、前記項目１８から１９のいずれかに記載の潤滑組成物。
（項目２４）
０．０１重量％〜５重量％の１，３−ジオキサン−４，６−ジオン化合物、および
０．１重量％〜１０重量％の塩基性アミン化合物
０．１重量％〜６重量％、または０．４重量％〜３重量％の、硫黄不含のカルシウムもしくはマグネシウムフェネート、硫黄を含有するカルシウムもしくはマグネシウムフェネート、またはスルホン酸カルシウムもしくはスルホン酸マグネシウムから選択される、過塩基性清浄剤、および
０．５重量％〜１０重量％、または１．２重量％〜６重量％のポリイソブチレンスクシンイミドであって、前記ポリイソブチレンスクシンイミドのポリイソブチレンが５５０〜３０００、または１５５０〜２５５０、または１９５０〜２２５０の数平均分子量を有する、ポリイソブチレンスクシンイミド
を含む、前記項目１から２１のいずれかに記載の潤滑組成物。
（項目２５）
０．５重量％〜２重量％の１，３−ジオキサン−４，６−ジオン化合物、および
１重量％〜３重量％の塩基性アミン化合物
０．１重量％〜６重量％、または０．４重量％〜３重量％の、硫黄不含のカルシウムもしくはマグネシウムフェネート、硫黄を含有するカルシウムもしくはマグネシウムフェネート、またはスルホン酸カルシウムもしくはスルホン酸マグネシウムから選択される、過塩基性清浄剤、および
０．５重量％〜１０重量％、または１．２重量％〜６重量％のポリイソブチレンスクシンイミドであって、前記ポリイソブチレンスクシンイミドのポリイソブチレンが、５５０〜３０００または１５５０〜２５５０または１９５０〜２２５０の数平均分子量を有する、ポリイソブチレンスクシンイミド、および
０ｐｐｍ〜９００ｐｐｍ、または１００ｐｐｍ〜８００ｐｐｍ、または２００〜５００ｐｐｍのリンを送達する量で存在している、ジアルキルジチオリン酸亜鉛
を含む、前記項目１から２１のいずれかに記載の潤滑組成物。
（項目２６）
前記潤滑組成物が、（ｉ）０．５重量％またはそれ未満の硫黄含量、（ｉｉ）０．１重量％またはそれ未満のリン含量、および（ｉｉｉ）０．５重量％〜１．５重量％またはそれ未満の硫酸塩灰分含量を有するものとして特徴づけられる、前記項目のいずれかに記載の潤滑組成物。
（項目２７）
前記潤滑組成物が、ＸＷ−ＹのＳＡＥ粘度グレードを有し、式中、Ｘは、０、５、１０または１５とすることができ、Ｙは、１６、２０、３０または４０とすることができる、前記項目のいずれかに記載の潤滑組成物。
（項目２８）
前記潤滑粘度の油が、ＡＰＩのグループＩ、ＩＩ、ＩＩＩ、ＩＶ、Ｖまたはそれらの混合物、通常、ＡＰＩのグループＩ、ＩＩ、ＩＩＩ、ＩＶまたはそれらの混合物を有する、前記項目のいずれかに記載の潤滑組成物。
（項目２９）
前記１，３−ジオキサン−４，６−ジオン化合物が、以下の式：
【化１２】
2017525816.tif 000002
（式中、Ｒ１は、水素、または１〜４個の炭素原子のヒドロカルビル基とすることができ、Ｒ２およびＲ３は、独立して、水素、または１〜４個の炭素原子のヒドロカルビル基である）
によって表すことができる、前記項目のいずれかに記載の潤滑組成物。
（項目３０）
前記１，３−ジオキサン−４，６−ジオン化合物が、以下の式：
【化１３】
2017525816.tif 000003
によって表すことができる、前記項目のいずれかに記載の潤滑組成物。
（項目３１）
内燃機関に、前記項目１から２８のいずれかに記載の潤滑組成物を供給することを含む、内燃機関を潤滑する方法。
（項目３２）
前記内燃機関が、シリンダーボア、シリンダーブロックまたはピストンリングに鋼製表面を有する、項目２９に記載の方法。
（項目３３）
前記内燃機関が火花点火または圧縮点火である、前記方法項目のいずれかに記載の方法。
（項目３４）
内燃機関において、シール適合性（通常、エラストマーシールの悪化を引き起こさない）を改善するための、前記項目１から２８のいずれかに記載の潤滑組成物中での１，３−ジオキサン−４，６−ジオン化合物と塩基性アミン化合物との混合物の使用。
（項目３５）
ＴＢＮが、ＡＳＴＭ  Ｄ２８９６に準拠して測定される、前記項目のいずれかに記載の潤滑組成物。